(57)【要約】【課題】    台への物品の収容し易さと、台に対する物品の安定性の両立を図る。【解決手段】  本願発明に係る物品付台において、台２は、基体２１と、基体から隆起し左右に伸びる中空の保持部２２，２２とを備え、保持部２２の天板部２３には、複数の開口部４…４が設けられ、保持部２２の側壁部２４には、開口部４に連続して開口する延設開口部５が設けられ、側壁部２４において延設開口部５の左右を画する、左右の縁には、左右に伸びるフラップ６が設けられ、開口部４の夫々は、各物品１の一端を収容し且つ物品１の当該端部の断面よりも面積が小さく形成されており、物品１一端の一部分が、延設開口部５から外部へはみ出すものであり、当該はみ出し部分を上記フラップ６が押さえている。【選択図】          図１
2008179369.tif 000002
【特許請求の範囲】
【請求項１】
複数の物品と、当該複数の物品を載せる紙製の台とを備えた物品付台において、
台は、基体と、基体から隆起し左右に伸びる１つ又は複数の保持部とを備えるものであり、
保持部は、天板部と、天板部に連設された側壁部とを備えた、基体上面を底部とする中空体であり、
天板部には、複数の開口部が設けられ、
側壁部は、保持部の前部又は後部を形成するものであり、上記開口部に連続して開口する延設開口部が設けられ、
側壁部において延設開口部の左右を画する、左右の縁の少なくとも何れか一方には、当該左右の縁の他方に向かって伸びるフラップが設けられ、延設開口部は、当該フラップにて閉ざされたものであり、
開口部の夫々は、各物品の一端を収容し且つ物品の当該端部の断面よりも面積が小さく形成されており、物品一端の一部分が、延設開口部から外部へはみ出すものであり、当該はみ出し部分を上記フラップが押さえていることを特徴とする物品付台。
【請求項２】
開口部の左右の最大幅は、延設開口部の左右の幅よりも大きいものであることを特徴とする請求項１記載の物品付台。
【請求項３】
保持部は、上記の天板部と、前側壁部と後側壁部の２つの上記側壁部と、開口する左右端部とを備え、左右方向を長手とする直方体であり、
天板部の開口部の夫々は、平面視において天板部が呈する長方形の長辺に沿って配列されたものであり、
天板部の左右両端には、保持部内部に伸びる端部フラップが延設され、
端部フラップの先端は、保持部内にて、底部に当接するものであり、
天板部の開口部のうち、少なくとも上記保持部端部に隣接する開口部について、当該開口部を画する天板部の縁には、天板フラップが設けられ、天板フラップは、保持部内部に伸び、保持部内部にて物品に沿うものであり、
更に、天板フラップは、保持部内部にて端部フラップと当接することによって、端部フラップの先端が底部から離れて天板部側に寄るのを防止していることを特徴とする請求項１又は２記載の物品付台。
【請求項４】
１枚の紙片から構成され、
当該紙片は、平面視矩形の基体片と、基体片の前後の少なくとも一端に第１折り目を以って延設された第１側壁部片と、第１側壁部片の基体片と反対側の端部から第２折り目を以って延設された天板部片と、天板部片の第１側壁部片と反対側の端部から第３折り目を以って延設された第２側壁部片と、第２側壁部片の天板部片と反対側の端部から第４折り目を以って延設された糊代片とを備え、
天板部片には、その表裏に貫通し且つ第２側壁部材に接する開口部が複数設けられ、
第２側壁部片は、間隔を開けて、天板部片の第１側壁部片と反対側の端部に設けられた複数の側壁部構成片からなり、側壁部構成片の夫々は、天板部片の隣り合う開口部の間を前方又は後方へ延長するものであり、且つ、隣り合う側壁部構成片の間の間隔が、上記開口部を前方又は後方に延長するものであり、側壁部構成片の夫々には、隣り合う側壁部構成片を望む部位に、当該隣り合う側壁部構成片へ向けて伸びるフラップ片が延設されたものであり、
第１折り目、第２折り目、第３折り目の夫々を谷折りにし、更に第４折り目を山折り又は谷折りにし、糊代片を基体片に糊付けすることによって、複数の開口部を備えた天板部片を天板部とし、第１側壁部片及び第２側壁部片を前後の側壁部とし、基体片を基体として、当該基体から隆起する保持部を形成することができ、上記の隣り合う側壁部構成片間の間隔を、天板部に連続する延設開口部とするものであることを特徴とする台。
【発明の詳細な説明】
【技術分野】
【０００１】
本願発明は、物品付台及びその台に関するものである。
【背景技術】
【０００２】
【特許文献１】実開昭５３−５１８８６号公報
【特許文献２】実開昭５５−３３２９４号公報
【０００３】
紙片を基台として物品を載せるものについて、例えば、特許文献１や特許文献２に示すようなものが提案されている。
この特許文献１において、物品の一端を収容し保持する、複数の開口部（凹部３）を上面に備えた台（板材１）が示されている（特許文献１の第１ａ図〜第３ｂ図）。
【０００４】
具体的には、この特許文献１（図２）に示された開口部の夫々は、円筒状の物品（コップ形状容器）の断面形状に合わせて、平面視において円形に形成されている。
開口部へ収納した物品をぐらつかせず確実に保持するためには、開口部の内径を物品の外径に併せて形成しておく必要がある。
しかし、このように開口部内径と物品外径とをほぼ一致したものとすると、或いは製造時の誤差で開口部内径が物品外径よりも小さいものとなっていた場合、物品の挿入が円滑に行えず、台の形を崩したり、台を破損したりする危惧がある。
一方、円滑に物品を挿入するために、物品の外径よりも台の開口部の内径を大きいものとして余裕を持たせれば、物品の端部を無理なく挿入できるが、収容後の物品の安定が悪く、ぐらついたりする。
勿論、複数の物品を密に集合させるものとすれば、このような安定性の問題も払拭できるかもしれない。
しかし、開封した後は、物品がばらけてしまう危惧があり、例えば店頭で販売するものであれば、個々の物品を台から取り出し陳列棚に移すなどしなければならず、そのまま開封した台に入れて物品を放置することはできない。
【０００５】
一方、特許文献２において、台紙（段ボールの矩形の紙片）の第２面４と第３面５とにて構成される隆起部に、平面視半円形の開口部（切欠部）を設けたものが示されている（図２）。この特許文献２の図２の台を見る限りにおいて、物品を収容した際、物品の半分を開口部内に収容し、物品の残りの半分を断面視円形を開口部（切欠部）から外部へはみ出せて収容することができそうであり、物品の挿入が円滑に行えるように考えられる。
しかし、物品の開口部からはみ出した部位は、何の規制も受けないため、極めて不安定である。従って、この特許文献２に示されたものにあっても、シュリンクされなければ、物品が台からばらけてしまう危惧がある。
また、従来この種の台は、ＰＰやＰＥＴなどのプラスチックを主成分とするものが一般的であるが、廃棄時の環境対策を重視する観点から、このような素材を採用したものは好ましくない。
【発明の開示】
【発明が解決しようとする課題】
【０００６】
本願発明は、物品を載せる台を紙製とし、円滑に、物品を載せることができ、更に、載せた後、物品を安定状態に保持することができる台を提供して、上記の課題を解決する。
【課題を解決するための手段】
【０００７】
本願第１発明は、複数の物品１…１と、当該複数の物品１…１を載せる紙製の台２とを備えた物品付台において、次の構成を採るものを提供する。
即ち、台２は、基体２１と、基体から隆起し左右に伸びる１つ又は複数の保持部２２とを備えるものである。保持部２２は、天板部２３と、天板部２３に連設された側壁部２４とを備えた、基体２１上面を底部とする中空体である。天板部２３は、複数の開口部４…４が設けられている。側壁部２４は、保持部２２の前部又は後部を形成するものであり、上記開口部４に連続して開口する延設開口部５が設けられている。側壁部２４において延設開口部５の左右を画する、左右の縁の少なくとも何れか一方には、当該左右の縁の他方に向かって伸びるフラップ６が設けられ、延設開口部５は、当該フラップ６にて閉ざされたものである。そして、開口部４の夫々は、各物品１の一端を収容し且つ物品１の当該端部の断面よりも面積が小さく形成されており、物品１一端の一部分が、延設開口部５から外部へはみ出すものであり、当該はみ出し部分を上記フラップ６が押さえている。
尚、紙製の台には、複合紙材製の台を含む。
【０００８】
本願第２の発明では、上記の本願第１の発明にあって、開口部４の左右の最大幅が、延設開口部５の左右の幅よりも大きいことを特徴とする物品付台を提供する。
【０００９】
本願第３の発明では、上記本願第１又は第２の発明にあって、次の構成を採る物品付台を提供する。
即ち、保持部２２は、上記の天板部２３と、前側壁部２４ａと後側壁部２４ｂの２つの上記側壁部２４，２４と、開口する左右端部とを備え、左右方向を長手とする直方体であり、天板部２３の開口部４…４の夫々は、平面視において天板部２３が呈する長方形の長辺に沿って配列されたものである。天板部２３の左右両端には、保持部２２内部に伸びる端部フラップ７，７が延設され、端部フラップ７の先端は、保持部２２内にて、底部に当接する。天板部２３の開口部４…４のうち、少なくとも上記保持部２２端部に隣接する開口部４，４について、当該開口部４を画する天板部の縁には、天板フラップ８が設けられ、天板フラップ８は、保持部２２内部に伸び、保持部２２内部にて物品１に沿う。更に、天板フラップ８は、保持部２２内部にて端部フラップ７と当接することによって、端部フラップ７の先端が底部から離れて天板部２３側に寄るのを防止している。
【００１０】
本願第４の発明では、下記の構成を採る台を提供する。
即ち、この台は、１枚の紙片２００から構成される。当該紙片２００は、平面視矩形の基体片２１０と、基体片２１０の前後の少なくとも一端に第１折り目を以って延設された第１側壁部片２４１と、第１側壁部片２４１の基体片２１０と反対側の端部から第２折り目を以って延設された天板部片２３０と、天板部片２３０の第１側壁部片２４１と反対側の端部から第３折り目を以って延設された第２側壁部片２４２と、第２側壁部片２４２の天板部片２３０と反対側の端部から第４折り目を以って延設された糊代片２５０とを備える。天板部片２３０には、その表裏に貫通し且つ第２側壁部材２４２に接する開口部４…４が複数設けられている。第２側壁部片２４２は、間隔を開けて、天板部片２３０の第１側壁部片２４１と反対側の端部に設けられた複数の側壁部構成片２４３…２４３からなり、側壁部構成片２４３…２４３の夫々は、天板部片２３０の隣り合う開口部４…４の間を前方又は後方へ延長するものであり、且つ、隣り合う側壁部構成片２３１，２３１の間の間隔が、上記開口部２３０を前方又は後方に延長する。側壁部構成片２３１…２３１の夫々には、隣り合う側壁部構成片２３１を望む部位に、当該隣り合う側壁部構成片２３１へ向けて伸びるフラップ片６０が延設されている。そして、第１折り目、第２折り目、第３折り目の夫々を谷折りにし、更に第４折り目を山折り又は谷折りにし、糊代片２５０を基体片２１０に糊付けすることによって、複数の開口部４…４を備えた天板部片２３０を天板部とし、第１側壁部片２４１及び第２側壁部片２４２を前後の側壁部２４，２４とし、基体片２１０を基体２１として、当該基体２１から隆起する保持部２２を形成することができ、上記の隣り合う側壁部構成片２４３…２４３間の間隔を、天板部２３に連続する延設開口部５とする。
【発明の効果】
【００１１】
本願第１〜４の発明の実施にて、物品を載せる紙製の台であって、物品の台への載置を円滑に行え、更に、台に対して物品を安定した状態に保持できるものを提供し得た。
これによって、例えば、店頭に陳列する際、物品を台に載せたまま、陳列することができ、台から物品を取り出して陳列棚などに移す必要がない。
また、台を紙製とすることによって、環境に対し優しいものとした。
【００１２】
特に、本願第２の発明にあっては、開口部の左右方向の最大幅を、延設開口部の左右方向の幅よりも大きいものとすることによって、開口部の内径と同径の物品を収納した際、延設開口部から脱落する危惧がない。
【００１３】
更に、本願第３の発明にあっては、端部フラップを備え、当該端部フラップが保持部内にて、天部フラップの当接により、保持部の天板部と底部との間にて突っ張った状態を維持するものであるため、保持部において型崩れが生じ難い。
【００１４】
本願第４の発明では、上記本願第１の発明に係る台として、より具体的な手段を提供した。
【発明を実施するための最良の形態】
【００１５】
以下、図面を参照しつつ、本願発明の好ましい実施の形態について、説明する。図１〜図７へ本願発明の一実施の形態を示す。
図１は、本願発明に係る物品付台の全体斜視図である。図２は、図１の物品付台の台１を構成する紙片の展開図である。図３及び図４は、図２の紙片の組み立て過程を示す展開図である。図５（Ａ）〜（Ｃ）は、図２の紙片の組み立て過程を示す要部拡大斜視図である。図６は、図２へ示す紙片について、台として組み立てが完了した状態を示す斜視図である。図７は、図６に示す台に、物品１を収容する過程を示す斜視図である。
各図中、Ｆは前方を、Ｂは後方を、Ｌは左方を、Ｒは右方を、Ｕは上方を、Ｓは下方を、夫々示している。
【００１６】
図１へ示すように、この物品付台１００は、複数の物品１…１と、当該複数の物品１…１を載せる紙製の台２とを備える。
この実施の形態において、物品１…１として、洗顔フォームを収容したチューブを例に採って説明する。このチューブの口には、円筒状のキャップが嵌められている。この実施の形態において、このキャップが物品１の一端を構成しており、当該キャップ部分が、上記台２に保持される。
以下、上記台２について、更に詳しく説明する。
【００１７】
図６へ示す通り、台２は、基体２１と、基体２１上面より上方へ隆起し且つ左右に伸びる２つの保持部２２，２２とを備える。
基体２１は、前辺と、後辺と、左辺と、右辺とを備えた平面視矩形状の部材である。
保持部２２の夫々は、天板部２３と、天板部２３に連設された側壁部２４，２４とを備えた、基体２１上面を底部とする中空体である。
具体的には、保持部２２の夫々は、上記の天板部２３と、前側壁部２４ａと後側壁部２４ｂの２つの上記側壁部２４，２４と、開口する左右端部とを備え、左右方向を長手とする直方体である。
【００１８】
図６へ示すように、保持部２２，２２同士については、基体２１上にて、一方の保持部２２に対して、他方の保持部２２が、間隔を開けて、平行に配列されている。以下、必要に応じて、前方Ｆ側に位置する保持部２２を前保持部２２ａと、後方Ｂ側に位置する保持部２２を後保持部２２ｂと呼ぶ。
前保持部２２ａの前側壁部２４ａの下端は、平面視矩形を呈する基体２１の前辺と一致し（基体２１の前辺を前保持部２２ａ正面の下端辺とし）、後保持部２２ｂの後側壁部２４ｂの下端は、基体２１の後辺と一致する（基体２１の後辺を後保持部２２ｂ背面の下端辺とする）。両保持部２２ａ，２２ｂの左右の幅は、基体２１の左右の幅（前辺及び後辺の長さ）と一致する。即ち、両保持部２２ａ，２２ｂの左右両端の下端辺は、基体２１の左辺及び右辺の一部である。
【００１９】
保持部２２，２２夫々の天板部２３には、複数の開口部４…４が設けられており、この複数の開口部４…４は、平面視において天板部２３が呈する長方形の長辺に沿って（左右の方向へ）配列されている。
また、開口部４…４の夫々は、平面視において、弦を備えた円弧（一部が欠けた円）を呈する。この弦は、平面視長方形の天板部２３の長辺の一部をなしている（開口部４が呈する円は、天板部２３の長辺に掛かり、欠けたものとなっている）。この円弧の中心角は、１８０度より大きく（鈍角であり）、これにより、開口部４…４の直径（左右の最大幅ｗ１）は、上記弦の長さより大きい。
この実施の形態において、前保持部２２ａの開口部４が呈する弦は、前保持部２２ａの平面視矩形状の天板部２３の後辺の一部を構成する。また、後保持部２２ｂが呈する弦は、後保持部２２ｂの平面視矩形状の天板部２３の前辺の一部を構成する。
【００２０】
前保持部２２ａの後側壁部２４ｂと、後保持部２２ｂの前側壁部２４ａには、天板部２３の上記開口部４に連続して開口する延設開口部５が設けられている。即ち、延設開口部５は、開口部４に繋がっている。
延設開口部５は、側壁部２４の上端から下端にかけて設けられており、上下方向の各位置において、延設開口部５の左右の幅ｗ２は、一定である。この延設開口部５の左右の幅ｗ２は、上記開口部５が呈する弦の長さと等しい。
このため、図５（Ｃ）へ示すように、開口部４の左右の最大幅ｗ１は、延設開口部５の左右の幅ｗ２よりも大きい（言い換えると、延設開口部５の左右の幅ｗ２は、開口部４の左右の最大幅ｗ１より小さい）。
開口部４は、物品１の一端を収容するものであり、開口部４の内径（最大径）は、物品１の対応する箇所（この実施の形態においてチューブのキャップ）の外径と等しい。また、開口部４の夫々は、各物品１の一端を収容し且つ物品１の当該端部の断面よりも面積が小さく形成されている。従って、物品１を開口部１内へ収容することによって、物品１の端部（キャップ）の側部の一部が、延設開口部５から保持部２２の外へはみ出す。しかし、上記の通り、延設開口部５の左右の幅ｗ２は、開口部４の左右の幅ｗ１より小さいため、延設開口部５から、物品１の端部全体が保持部２２の外部へ脱落することはない。
【００２１】
また、側壁部２４において延設開口部５の左右を画する左右両縁には、当該左右の縁の他方に向かって伸びるフラップ６が設けられている。延設開口部５は、当該フラップ６にて閉ざされたものである。図６へ示す通り、対向する両フラップ６，６については、物品１を収容していない状態において、その先端同士が近接又は当接する。開口部４内に上記物品１を収容し、その一部（キャップ周面の一部）が延設開口部５からはみ出した際、図７へ示す通り、両フラップ６，６は、当該はみ出し部分を押さえつつ開く。即ち、両フラップ６，６は、物品１のはみ出し部分に押されて、観音開きとなるが、物品１との当接状態を維持する。このように、フラップ６，６は、紙片２００が有する弾力性により、物品１を押さえ、物品１をより安定した状態に保持することができる。
【００２２】
天板部２３の左右両端には、保持部２２内部に伸びる端部フラップ７，７が延設され、端部フラップ７の先端は、保持部２２内にて、底部に当接する。
天板部２３における当該開口部４…４を画する各縁には、天板フラップ８が設けられている。天板フラップ８は、保持部２２内部に伸び、保持部２２内部にて物品１に沿う。
上記保持部２２の左右端部に隣接する開口部４，４の天板フラップ８，８は、当接部８１を備え、当該当接部８１にて、保持部２２内部で、端部フラップ７と当接し、端部フラップ７の先端が底部から離れて天板部２３側に寄るのを防止している。
【００２３】
次に、上記の台２について、具体的に説明する。
図２へ示す通り、この実施の形態において、台２は、１枚の紙片２００から構成される。紙片２００には、ボール紙や他の厚紙を採用することができる。
当該紙片２００は、図２へ示すように、平面視矩形の基体片２１０と、基体片２１０の前後の両端に第１折り目ｘ１を以って延設された第１側壁部片２４１と、第１側壁部片２４１の基体片２１０と反対側の端部から第２折り目ｘ２を以って延設された天板部片２３０と、天板部片２３０の第１側壁部片２４１と反対側の端部から第３折り目ｘ３を以って延設された第２側壁部片２４２と、第２側壁部片２４２の天板部片２３０と反対側の端部から第４折り目ｘ４を以って延設された糊代片２５０とを備える。上記の第１側壁部片２４１の前後の幅と第２側壁部片２４２の前後の幅とは、等しい。
【００２４】
天板部片２３０には、その表裏に貫通し且つ第２側壁部材２４２に接する開口部４…４が複数設けられている。
第２側壁部片２４２は、間隔を開けて、天板部片２３０の第１側壁部片２４１と反対側の端部に設けられた複数の側壁部構成片２４３…２４３にて構成されている。
側壁部構成片２４３…２４３の夫々は、天板部片２３０の隣り合う開口部４…４の間を前方又は後方へ延長するものであり、且つ、隣り合う側壁部構成片２３１…２３１の間の間隔が、上記開口部２３０を前方又は後方に延長する。
【００２５】
側壁部構成片２４３…２４３の夫々には、隣り合う側壁部構成片２４３を望む部位に、当該隣り合う側壁部構成片２４３へ向けて伸びるフラップ片６０が延設されている。そして、第１折り目、第２折り目、第３折り目の夫々を谷折りにし、更に第４折り目を山折り又は谷折りにし、糊代片２５０を基体片２１０に糊付けすることによって、複数の開口部４…４を備えた天板部片２３０を天板部とし、第１側壁部片２４１及び第２側壁部片２４２を前後の側壁部２４，２４とし、基体片２１０を基体２１として、当該基体２１から隆起する保持部２２を形成することができ、上記の隣り合う側壁部構成片２４３…２４３間の間隔を、天板部２３に連続する延設開口部５とすることができる。
【００２６】
上記の開口部５について詳述すると、天板部片２３０には、切り込み４０が複数設けられており、開口部４を画している。切り込み４０にて囲まれた部分は、天板フラップ片８０を構成する。
上記の切り込み４０は、円弧状の区間と、円弧の両端を繋ぐ弦区間とを備える。
正確には、切り込み４０の円弧状の区間は、第２折り目ｘ２に最も近接する部位設けられた第５折り目ｘ５を挟んで、第５折り目ｘ５の左右に形成された、２つの円弧区間４０ａ，４０ａにて構成される。当該第５折り目ｘ５にて、天板フラップ片８０は、天板部片２３０と繋がっている。２つの円弧区間４０ａ，４０ａは、同心に形成され、第５折り目ｘ５と共に、上記円弧状の区間を構成している。
【００２７】
また、上記の弦区間は、切り込み４０の第２折り目ｘ２と反対側にあって、上記の第３折り目ｘ３，ｘ３間に位置する。弦区間は、上記の通り、円弧の弦の部分を構成するのであるが、この実施の形態において、上記の弦区間は、直線区間４０ｂ，４０ｂ、迂回区間４０ｃとにて構成されている。迂回区間４０ｃは、第４折り目ｘ４側へ寄った区間であり、平面視Ｕ字状に形成されている。
このため、第２側壁部片２４２，２４２のフラップ片６０，６０は、上記天板フラップ片８０の迂回、即ち、天板フラップ片８０の張り出しに対応して、第４折り目ｘ４側へ後退する部分を備える。
上記の迂回区間４９ｃは、天板フラップ片８０の弦から突出する糊代用舌片８２を象るものであり、上記両直線区間４０ｂ，４０ｂ間に、第６折り目ｘ６を備える。
【００２８】
天板部片２３０において、このような切り込み４０にて囲まれたフラップ片８０…８０のうち、左右両端に位置する切り込み４０には、折り目ｙが設けられている。
【００２９】
例えば、列なす複数（この実施の形態において３個）の天板フラップ片８０のうち、右端に位置する天板フラップ片８０の折り目ｙは、当該天板フラップ片８０の直線区間４０ｂ，４０ｂのうち右側の直線区間４０ｂの左端と、当該天板フラップ片８０の第５折り目ｘ５の右側に位置する円弧区間４０ａの中点と左端との間とを、結ぶ線である。この天板フラップ片８０において、折り目ｙにより右側の部位が、当接部片８１０である。
一方、天板フラップ片８０のうち、左端に位置する天板フラップ片８０の折り目ｙは、当該天板フラップ片８０の直線区間４０ｂ，４０ｂのうち左側の直線区間４０ｂの右端と、当該天板フラップ片８０の第５折り目ｘ５の左側に位置する円弧区間４０ａの中点と右端との間とを、結ぶ線である。この天板フラップ片８０において、折り目ｙにより左側の部位が、当接部片８１０である。
各折り目ｙは、ミシン目その他の切れ込みとして形成され、これにて、当接部片８１０は、当接部８１として、谷折りにし易いものとなっている。
【００３０】
上記天板部片２３０の左右の両端には、第７折り目ｘ７を介して、端部フラップ片７０，７０が延設されている。この端部フラップ片７０の左右の幅（基端から先端の幅）は、第１及び第２側壁部片２４１，２４２の前後の幅と同じか若干長く形成されている。
上記の基体片２１０は、第８折り目ｘ８を介して、その左右に、補強片２１１，２１１が延設されている。
【００３１】
次に、この紙片２００から台２を形成する手順について説明する。
図３へ示す通り、先ず、上記の端部フラップ片７０，７０は、第７折り目ｘ７，ｘ７にて谷折りにされ、基体片２１０に重ねられる。また、上記の補強片２１１，２１１の上面に接着剤が塗布され、この図３に示す通り、補強片２１１，２１１は、第８折り目ｘ８にて谷折りにされ、基体片２１０に重ねられ、当該基体片２１０に糊付けされる。
【００３２】
そして、上記糊付け面と反対側の面について、糊代片２５０，２５０と糊代用舌片８２…８２とに（図３において×印で示す位置に）、更に接着剤が塗布される。
接着剤の塗布後、第２折り目ｘ２にて、天板部片２３０が、谷折りにされ、第１側壁部片２４１に重ねられる。このとき、接着剤にて、基体片２１０及び端部フラップ片７０，７０の、図３にて三角印で示す第１折り目ｘ１寄りの位置に、糊代用舌片８２…８２が糊付けれ、同じく、図３にて三角印で示す、基体片２１０及び端部フラップ片７０，７０の上下について中央位置に、糊代片２５０，２５０が糊付けされる。
図４は、上記の糊付け後の台２の状態を示している。台２としては、この図４へ示す状態で完成する。
【００３３】
次に、使用時の、上記の図４に示す台１の組み立ての手順について、説明する。
図５（Ａ）は、図４の要部を斜視図として示すものであり、この図５（Ａ）へ示す状態から第３折り目ｘ３にて、天板部片２３０と第２側壁部片２４２とを山折りにし、且つ第２折り目ｘ２にて第１側壁部片２４１から天板部片２３０を開いて起し、図５（Ｂ）へ示すように、基体片２１０（及び補強片２１１）から第２側壁部片２４２を折り起す。
図５（Ｃ）へ示す通り、上記にて、天板部片２３０に対し第２側壁部片２４２を、第１側壁部片２４１に対し天板部片２３０を、夫々ほぼ直角となるように起す。このとき、上記にて基体片２１０及び補強片２１１へ糊付けされた糊代用舌片８２…８２は、基体片２１０及び補強片２１１に残り、その結果、天板フラップ片８０は、天板フラップ８として保持部２２内部に入り込み、天板部片２３０に開口部４が形成される（開口する）。また、このとき、上記左右両端に位置する天板フラップ片８０，８０の当接部片８１０，８１０即ち、接部８１，８１が、その左右の端部フラップ片７０，７０を押圧して起す。各当接部片８１０は、端部フラップ片７０の押圧にて、天板フラップ片８０の他の部位に対し折り目ｙにて谷折りになり、より広い範囲で端部フラップ片７０と当接し、端部フラップ片７０（端部フラップ７）を押圧する。
このようにして、基体片２１０が基体２１となり、また、第１側壁部片２４１と第２側壁部片２４２とが夫々前側壁部２４ａと後側壁部２４ｂの何れかとなり、天板部片２３０が天板部２３となって、保持部２２が形成され、図６へ示す通り、台２として使用可能な状態となる。
【００３４】
図８〜図１０へ他の実施の形態を示す。図８はこの実施の形態の台２の展開平面図であり、図９は当該台２の組みたて後の斜視図であり、図９は当該台２へ物品１を収容する過程を示す斜視図である。
この図８〜図１０に示す実施の形態について、図１〜図７に示す実施の形態との相違点を中心に説明する。従って、この図８〜図１０へ示す実施の形態について、特に言及しない事項については、図１〜図７へ示す実施の形態と同様である。
図８へ示す通り、この台２を構成する紙片２００において、天板フラップ片８０を画する切れ込み４０の弦区間は、図１〜図７へ示す実施の形態と異なり、迂回区間４０ｃを備えない。即ち弦区間は、１本の直線区間として形成されている。このため、天板フラップ８…８（天板フラップ片８０…８０）の夫々は、上記の糊代用舌片８２…８２を備えない。従って、この実施の形態において、糊付けされるのは、補強片２１１，２１１と、糊代片２５０，２５０のみである。
【００３５】
このため、紙片２００を糊付けして、台２として組み立てた際、図９へ示す通り、天板フラップ片８０…８０は、そのまま天板部２３のに残る。従って、図１〜図７へ示す実施の形態と異なり、台２組み立て時に、上記天板フラップ８の端部が、端部フラップ片７０を押圧せず、組み立てが完了し保持部２２，２２が形成された時点において、保持部２２，２２の左右両端は、端部フラップ７が起されていない。
しかし、物品１を収容する際に、物品１に押圧されて、天板フラップ８が開口部８から保持部２２の内部へ押し込まれる。このとき、天板フラップ８の左右何れかの端部が、端部フラップ片７０を押圧し、図１０へ示すように、端部フラップ７として起立させることができる。
【００３６】
また、この図８〜図１０に示す実施の形態では、図１〜図７へ示す実施の形態と異なり、天板フラップ片７０は、上記の折り目ｙを備えない。但し、図１〜図７へ示す実施の形態と同様、折り目ｙを備えるものとして実施することができる（図示しない）。
この図８〜図１０について、上述の各相違点以外の構成については、図１〜図７に示す実施の形態と同様である。
【００３７】
また、上記の各実施の形態において、台２は、保持部２２を２つ備えるものとしたが、この他、台２が保持部２２を３つ或いは４つ備えるものとしても実施である。図１１（Ａ）は、保持部２２を３つ備えた台２の略側面図であり、図１１（Ｂ）は、保持部２２を４つ備えた台２の略側面図である。
図１〜図１０へ示す実施の形態との相違点を中心に、この図１１に示す実施の形態について説明する。
図１１（Ａ）に示す台２は、図１２へ示す紙片２００を用いて形成することができる。この台紙２００は、図２へ示す紙片２００の後方Ｂ側に位置する第２側壁部片２４２と当該第２側壁部片２４２に隣接する糊代片２５０との間に、接続片２６０と、上記とは別に、第２側壁部片２４２と、天板部片２３０と、第１側壁部片２４１とを設けたものである。
詳しくは、後方Ｂ側に位置する第２側壁部片２４２の後方Ｂ側へ第９折り目ｘ９を介して接続片２６０が延設され、当該接続片２６０の後方Ｂ側に、第１０折り目ｘ１０を介して更に第２側壁部片２４２が延設され、当該別の第２側壁部片２４２の後方Ｂ側に更に天板部片２３０が延設され、当該天板部片２３０の後方Ｂ側に、更に第１側壁部片２４１が延設され、当該第１側壁部片２４１の後方Ｂ側に第１１折り目ｘ１１を介して上記の糊代片２５０が延設されているのである。
【００３８】
この図１２へ示す紙片２００から台２を形成する手順について、上記図２へ示す実施の形態との相違点を中心に説明する。
図１２へ示す展開状態の紙片２００の、上面に接着剤を塗布された補強片２１１，２１１と、全ての端部フラップ片７０…７０とを谷折りにして、基体片２１０及び天板部片２３０に重ねた後、糊代片２５０，２５０の上面、及び、上記接続片２６０の上面に接着剤を塗布する。そして、基体２１０の直前後の第１側壁部片２１４と天板部片２３０と第２側壁部片２４２とを折り起し、更に、この基体片２１０の後方側において、基体片２１０の直後方Ｂの第２側壁部片２４２より更に後方Ｂ側に設けられた、第２側壁部片２４２と第１側壁部片２１４と天板部片２３０とを折り起す。このとき、図１２に示す状態を基準に、第９折り目ｘ９を山折り目とし、同じく第１０折り目ｘ１０を山折り目とし、第１１折り目ｘ１１を谷折り目とする。
このような紙片２００の組み立てによって、図１１（Ａ）へ示す通り、折り起された上記各第１側壁部片２４１…２４１及び各第２側壁部片２４２…２４２が、夫々、前後の側壁部２４ａ，２４ｂとなり、天板部片２３０が天板部２３となり、基体片２１０が基体２１となって、保持部２２を３つ備えた台２が完成する。
【００３９】
また、図１１（Ｂ）へ示す実施の形態では、図１３へ示す通り、上記図１１（Ａ）を形成する図１２の紙片２００において、基体片２１０の前方Ｆ側の第２側壁部片２４２と当該第２側壁部片２４２に隣接する糊代片２５０との間にも、基体片２１０の後方Ｂ側と同様の、接続片２６０と、上記とは別に、第２側壁部片２４２と、天板部片２３０と、第１側壁部片２４１とを設けたものである。この場合も、台２形成の手順は、基本的に、上記図１１（Ａ）の実施の形態と同様である。
図１１（Ｂ）へ示す通り、組み立てにより、折り起された上記各第１側壁部片２４１…２４１及び各第２側壁部片２４２…２４２が、夫々、前後の側壁部２４ａ，２４ｂとなり、天板部片２３０が天板部２３となり、基体片２１０が基体２１となって、保持部２２を４つ備えた台２が完成する。
上記の図１１〜図１３へ示す実施の形態についても、特に言及しない事項については、図１〜図１０に示す実施の形態と同様である。
【００４０】
図１４〜図１６へ、更に他の実施の形態を示す。
図８〜図１０へ示す実施の形態では、図１〜図７に示す実施の形態の紙片２００（天板フラップ片８０）が持つ糊代用舌片８２…８２を備えず、台２を組み立てた際直ちに、天板フラップ片８０が、開口部４…４から離脱するものではなかった。
この図１４〜図１５に示す実施の形態では、このように、天板フラップ片８０に糊代用舌片８２…８２を設けないタイプのものにおいて、図１〜図７に示す実施の形態と同様、台２の組み立て時に、天板フラップ片８０を開口部４…４から離脱させることができる。
【００４１】
以下、図１４〜図１６へ示す実施の形態について、図８〜図１０へ示す実施の形態との相違点を中心に説明する。
図１４は、この台２を形成する紙片２００の展開平面図であり、図１５及び図１６に、この紙片２００を用いて台２を形成する手順を示す。
図１４に示す通り、この紙片２００は、図８へ示す紙片２００の糊代片２５０，２５０の前後に、第１２折り目ｘ１２を介して、副糊代片２７０を延設したものである。また、図８に示す紙片２００では、補強片２１１，２１１の左右の幅（両補強片２１１，２１１の左右の幅の合計幅）は、基体片２１０の左右の幅よりも小さく、第８折り目ｘ８，ｘ８にて補強片２１１，２１１を基体片２１０に折り重ねても、基体片２１０の上面全体を覆うものではなかった。一方のこの図１４〜図１６へ示す実施の形態では、両補強片２１１，２１１の左右の幅の合計は、基体片２１０の左右の幅とほぼ等しく、図１５へ示す通り、基体片２１０へ折り畳んだ際は、ほぼ基体片２１０の上面全体を覆う。このように形成することによって、折り畳んだ後の補強片２１１の先端と、基体片２１０との間に段差を生じさせず、それ以降の折り畳みや糊付け等の工程が行い易い。
【００４２】
この図１４の紙片２００から、台２を形成の手順について説明する。
補強片２１１，２１１の上面と、図１４へ×印で示す位置即ち天板フラップ片８０…８０とへ、接着剤を塗布する。そして、図１５へ示す通り、補強片２１１，２１１を基体片２１０へ、また、各端部フラップ片７０…７０を天板部片２３０，２３０へ、更に、糊代片２５０を第２側壁部片２４２へ、夫々谷折りにすることによって、折り畳む。
上記において、糊代片２５０，２５０は、第４折り目ｘ４，ｘ４にて谷折りにされ、天板部片２３０，２３０へ重ねられ、このとき、天板フラップ片８０…８０は、塗布された接着剤により、副糊代片２７０（図１４において三角印で示す位置）へ糊付けされる。
【００４３】
上記の折り畳みの後、図１５へ示す通り、折り畳まれた補強片２１１，２１１の上（図１５の×印で示す位置）に、接着剤を塗布する。この接着剤の塗布位置は、前後方向Ｆ，Ｂについて、補強片２１１，２１１の、中央と前端との中間位置、中央と後端との中間位置であり、左右のほぼ全域に渡り、夫々直線的に塗布される。この補強片２１１，２１１への接着剤塗布後、第２折り目ｘ２，ｘ２にて、天板部片２３０，２３０を谷折りにして、図１６へ示す通り、補強片２１１，２１１へ重ね合わせる。このとき、図１５に三角印で示す位置、即ち、糊代片２５０が上記の接着剤によって、補強片２１１，２１１へ糊付けされる。
【００４４】
以上にて、完成した台２は、図１〜図７へ示す実施の形態と同様の手順で、組み立てられ、台２として使用可能な状態となる。図示は省略するが、この組み立てに際して、上記図１４〜図１６へ示す実施の形態では、糊代片２５０，２５０に対して、第２側壁部片２４２を（第４折り目ｘ４，ｘ４を中心として）直角に起すと共に、第１側壁部片２４１，２４１を、基体片２１０（及び補強片２１１，２１１）に対して、第１折り目ｘ１，ｘ１を中心に直角に曲げ、同時に、…板部片２３０を第１側壁部片２４１，２４１から（第２折り目ｘ２，ｘ２を中心として）直角に起し、更に同時に、天板部片２３０，２３０を、第２側壁部２４２に対して、第３折り目ｘ３，ｘ３を中心として、直角に曲げる。図示はしないが、これにて、前後の側壁部２４ａ，２４ｂと天板部２３を供えた保持部２２，２２が形成される。
【００４５】
この実施の形態では、上記の組み立てにより、保持部２２，２２内部において、補強片２１１，２１１の上に糊付けされた糊代片２５０に対し、第１２折り目ｘ１２，ｘ１２を中心として、副糊代片２７０，２７０が起される。この副糊代片２７０，２７０の起立によって、副糊代片２７０，２７０に糊付けされている天板フラップ片８０…８０は、天板部片２３０から離脱させられ、天板部２３において、開口部４…４が開口するのである。
このような動作によって、糊代用下片８２を備えない図１４〜図１６においても、図１〜図７に示す実施の形態と同様、組み立て時に、天板フラップ片８０から開口部４を開放することができ、また、このとき天板フラップ片８０に押圧されて、端部フラップ片７０，７０が、保持部２２内にて起立する。
上記図１４〜図１６へ示す実施の形態についても、特に言及しない事項については、図１〜図１０へ示す実施の形態と同様である。
【００４６】
図１７〜図２１へ、更に他の実施の形態を示す。この実施の形態の紙片２００は、図１４〜図１６へ示す実施の形態において、糊代片２５０，２５０の前後に延設していた副糊代片２７０，２７０を除き、その代わりに、図１７へ示す通り、補強片２１１，２１１の前後に、副糊代片２８０…２８０を設けたものである。副糊代片２８０…２８０は、補強片２１１，２１１の前端又は後端において、補強片２１１，２１１の左右端寄りに設けられている。
また、この実施の形態では、図１７へ示す通り、天板部片２３０から、天板フラップ片８０を画する切り込み４０の弦区間は、第３折り目ｘ３と一致せず、第５折り目ｘ５側に後退している。即ち、当該弦区間とフラップ片６０，６０との間には、間隔が開けられている。このように形成することによって、組み立ての際に、フラップ片６０，６０が、天板フラップ片８０の弦区間に干渉せず、円滑な組み立てが行える。
【００４７】
具体的には、天板部片２３０において、左右両端に位置する天板フラップ片８０，８０の切り込み４０の弦区間は、全体が直線区間である。そして、天板部片２３０の右端に位置する天板フラップ片８０の切り込み４０において、弦区間は、右側よりも左側が、第５折り目ｘ５側へ後退するように、斜めに配置されている。一方、天板部片２３０の左端に位置する天板フラップ片８０の切り込み４０において、弦区間は、左側よりも右側が、第５折り目ｘ５側へ後退するように、斜めに配置されている。また、天板フラップ片８０の中央に位置する天板フラップ片８０の切り込み４０において弦区間は、中央とその左右の、連続する３つの直線区間によって構成されている。この切り込み４０において、左側の直線区間は、左側よりも右側が、第５折り目ｘ５側へ後退するよう斜めに配置され、逆に右側の直線区間は、右側よりも左側が、第５折り目ｘ５側へ後退するよう斜めに配置され、中央の直線区間は、左側の直線区間の右端と右側の直線区間の左端とを結ぶものであり且つ第５折り目ｘ５に対して平行左右へに伸びている。
弦区間の形態については、上記に限定するものではなく、第３折り目ｘ３と干渉しないものであれば、他の形状、例えば曲線を備えた区間として形成することもできる。
【００４８】
以下図１７に示す紙片２００から、台２を形成する手順について説明する。
図１７へ示す状態において、両補強片２１１，２１１の上面全体に接着剤を塗布する。そして、図１８へ示す通り、第８折り目ｘ８，ｘ８にて、補強片２１１，２１１を、基体片２１０へ向けて谷折りにし、基体片２１０の上面へ補強片２１１，２１１を重ねて糊付けする。このとき、副糊代片２８０…２８０は、第１側壁部片２４１，２４１の上に重ねられる（糊付けはされない）。
その後、図１９へ示す通り、第７折り目ｘ７，ｘ７にて、端部フラップ７０…７０を谷折りにして、天板部片２３０，２３０へ重ねる。また、糊代片２５０，２５０を第４折り目ｘ４にて谷折りにし、第２側壁部片２４２，２４２へ重ねる。
この端部フラップ７０…７０及び糊代片２５０，２５０の折込みは、補強片２１１，２１１より先に行っても、同時に行ってもよい。
【００４９】
図１９へ示す通り、天板部片８０…８０の上、即ち、図１９において×印で示す位置に接着剤を塗布する。また、上記にて折り込まれた糊代片２５０，２５０の上にも、その全体に接着剤を塗布する（糊代片２５０について、接着剤の塗布位置、及び、その張り合わせ位置の印は省略する）。
その後、図２０へ示す通り、第２折り目ｘ２，ｘ２にて、上記の天板部片２３０，２３０を山折りにして、第１側壁部片２４１…２４１の上に重ねる。このとき、糊代片２５０，２５０が、上記補強片２１１，２１１の上に重ねられ、補強片２１１，２１１へ糊付けされる。また、同時に、上記の副糊代片２８０…２８０の上、即ち図１９において三角印で示す位置に、天板フラップ片８０…８０が糊付けされる。以上にて、図２０へ示す台２が完成する。
【００５０】
使用時の台２の組み立ては、この図１７〜図２１へ示す実施の形態においても、上述の図１４〜図１６へ示す実施の形態と同様であり省略するが、組み立てにより、保持部２２，２２内において、上記副糊代片２８０…２８０が補強片２１１，２１１より起される。この副糊代片２８０…２８０の起立によって、当該副糊代２８０…２８０に糊付けされている天板フラップ片８０…８０が、図２１へ示す通り、天板部片２３０より離脱し、開口部４…４が開口する。また、このとき、天板フラップ片８０…，８０に押圧されて、端部フラップ７０…７０も保持部２２，２２内にて起立する。
以上にて、台２が使用可能な状態となるのである。
【００５１】
図２２へ示す通り、図１７に示す台において、図１２に示す台と同様、保持部２２を３列としてもよい。
具体的には、この台紙２００は、図１７へ示す紙片２００の後方Ｂ側に位置する第２側壁部片２４２と当該第２側壁部片２４２に隣接する糊代片２５０との間に、接続片２６０と、上記とは別に、第２側壁部片２４２と、天板部片２３０と、第１側壁部片２４１とを設けたものである。
即ち、後方Ｂ側に位置する第２側壁部片２４２の後方Ｂ側へ第９折り目ｘ９を介して接続片２６０が延設され、当該接続片２６０の後方Ｂ側に、第１０折り目ｘ１０を介して更に第２側壁部片２４２が延設され、当該別の第２側壁部片２４２の後方Ｂ側に更に天板部片２３０が延設され、当該天板部片２３０の後方Ｂ側に、更に第１側壁部片２４１が延設され、当該第１側壁部片２４１の後方Ｂ側に第１１折り目ｘ１１を介して上記の糊代片２５０が延設されているのである。
この図２２へ示す紙片２００においても、補強片２１１，２１１の前後に、副糊代片２８０…２８０が設けられており、台形成時の、補強片２１１，２１１及び糊代片２８０…２８０の糊付けや折込みは、図１８〜図２１へ示す実施の形態と同様であり、この補強片２１１，２１１及び糊代片２８０…２８０の糊付けや折込み後の工程については、図１２へ示す台紙と同様である。
尚、図示はしないが、図１７へ示す台紙において、図１３へ示す構成を採ることにより、保持部２２を４列として実施することもできる。
【００５２】
また、この台紙２００から形成した台１００は、一つの保持部２２は、４つの開口部４…４を備える。この場合、保持部２２の左右両端に位置する開口部４，４の構成については、図１７に示す紙片２００から形成した、図２１に示す台において保持部２２の左右両端に位置する開口部４，４と同様の構成を採り、当該左右両端の開口部４，４の間に位置する開口部４，４については、図２１に示す台において保持部２２の中央に位置する開口部４，４と同様の構成を採る。
この図２２に示す台について、特に言及しなかった事項については、図１２及び図１７へ示す実施の形態と同様である。
【００５３】
図２３へ示す通り、上記各実施の形態の物品付台１００を、段ボール箱といった梱包用箱３００へ収容する場合、別途、平面視十字型に交差する紙板を、間仕切り３０１として梱包用箱３００に挿入し、当該間仕切り３０１に仕切られた梱包用箱３００の内部空間へ、物品付台１００を収容するようにすればよい。このような間仕切り３０１を用いことにより、複数の物品付台１００を上下に積み重ねて梱包する場合に、荷崩れを生じさせないために必要な強度を確保することができるからである。
例えば、間仕切り３０１にて隔された１区画に、上下２段に物品付台１００を重ねて収容すれば、１つの梱包用箱３００へ、８個の物品付台１００を収容することができる。
【００５４】
上記の各実施の形態において、開口部４は、被梱包物１の端部外形に対応して、平面視においてその輪郭を円形（円弧）としたが、輪郭を多角形とするものであっても実施可能である。また、開口部４を上記の通り円形とした場合であっても、多角形の輪郭を備えた物品１を収容するものとして実施することができる。即ち、上記開口部４の夫々は、各物品１の一端を収容し且つ物品１の当該端部の断面よりも面積が小さく形成されており、物品１一端の一部分が、延設開口部５から外部へはみ出すものであれば、上記の開口部４…４の輪郭や物品１…１の輪郭は、変更することができる。
【００５５】
１つの保持部２２が備える開口部４…４は、３個や４個に限定するものではなく、２個以下、或いは５個以上であっても実施可能であり、また、１つの台２が備える保持部２２も、図示した２個や３個、４個に限定するものではなく、５個以上であっても実施可能である。
上記の各実施の形態において、台２は、物品２を載せるものを示したが、上下逆、即ち、台２は物品に載せられるものであっても実施可能である。
また、上記において、物品１…１は、洗顔フォームを収容したチューブとしたが、洗顔フォーム以外のものを収容したチューブであっても実施できる。更に、物品１…１として、このようなチューブに限定するものではなく、瓶などの他のボトル容器に実施することもできる。
また、上記の各実施の形態において、この物品付台は、物品と、台とのみにて構成されるものであった。この他、物品付台は、フィルムでシュリンクラップされたものであっても実施できる。
【図面の簡単な説明】
【００５６】
【図１】本願発明に係る物品付台の一実施の形態を示す全体斜視図である。
【図２】図１に示す物品付台の台を構成する紙片の展開平面図である。
【図３】図２に示す紙片の一部を折り込んだ状態を示す平面図である。
【図４】図２に示す紙片を更に折り込んだ状態を示す平面図である。
【図５】（Ａ）は図４に示す紙片の一部切欠拡大斜視図であり、（Ｂ）は（Ａ）へ示す紙片の折起しの途中の状態を示す一部切欠拡大斜視図であり、（Ｃ）は（Ａ）へ示す紙片の折起しの完了の状態（台を形成した状態）を示す部切欠拡大斜視図である。
【図６】図５（Ｃ）に示す紙片（台）の全体斜視図である。
【図７】図６に示す台に物品を収容する過程を示す斜視図である。
【図８】上記台の他の実施の形態に係る紙片の展開平面図である。
【図９】図８に示す紙片から形成した台２の斜視図である。
【図１０】図９に示す台２へ、物品１を収容する過程を示す斜視図である。
【図１１】（Ａ）は他の実施の形態に係る台２の略側面図であり、（Ｂ）は更に他の実施の形態に係る台２の略側面図である。
【図１２】図１１（Ａ）に示す実施の形態に係る台２を構成する紙片の展開平面図である。
【図１３】図１１（Ｂ）に示す実施の形態に係る台２を構成する紙片の展開平面図である。
【図１４】更に他の実施の形態に係る台２を形成する紙片の展開平面図である。
【図１５】図１４に示す紙片の一部を折り込んだ状態を示す平面図である。
【図１６】図１５に示す紙片の一部を更に折り込んだ状態を示す平面図である。
【図１７】また更に、他の実施の形態に係る台２を形成する紙片の展開平面図である。
【図１８】図１７に示す紙片の一部をまた更に折り込んだ状態を示す平面図である。
【図１９】図１８に示す紙片の一部を更に折り込んだ状態を示す平面図である。
【図２０】図１９に示す紙片の一部を更にまた折り込んだ状態を示す説明図である。
【図２１】図２０に示す台２の組み立て後の斜視図である。
【図２２】更に他の実施の形態の展開図である。
【図２３】本願発明に係る物品付台を梱包用箱へ収容する状態を示す説明図である。
【符号の説明】
【００５７】
１  物品
２  台
４  開口部
５  延設開口部
６  フラップ
７  端部フラップ
８  天板フラップ
２１  （台２の）基体
２２  （台２の）保持部
２３  （保持部２２の）天板部
２４  （保持部２２の）側壁部
【図１】
2008179369.tif 000003
【図２】
2008179369.tif 000004
【図３】
2008179369.tif 000005
【図４】
2008179369.tif 000006
【図５】
2008179369.tif 000007
【図６】
2008179369.tif 000008
【図７】
2008179369.tif 000009
【図８】
2008179369.tif 000010
【図９】
2008179369.tif 000011
【図１０】
2008179369.tif 000012
【図１１】
2008179369.tif 000013
【図１２】
2008179369.tif 000014
【図１３】
2008179369.tif 000015
【図１４】
2008179369.tif 000016
【図１５】
2008179369.tif 000017
【図１６】
2008179369.tif 000018
【図１７】
2008179369.tif 000019
【図１８】
2008179369.tif 000020
【図１９】
2008179369.tif 000021
【図２０】
2008179369.tif 000022
【図２１】
2008179369.tif 000023
【図２２】
2008179369.tif 000024
【図２３】
2008179369.tif 000025
【手続補正書】
【提出日】平成19年6月5日(2007.6.5)
【手続補正１】
【補正対象書類名】特許請求の範囲
【補正対象項目名】全文
【補正方法】変更
【補正の内容】
【特許請求の範囲】
【請求項１】
複数の物品と、当該複数の物品を載せる紙製の台とを備えた物品付台において、
台は、基体と、基体から隆起し左右に伸びる１つ又は複数の保持部とを備えるものであり、
保持部は、天板部と、天板部に連設された側壁部とを備えた、基体上面を底部とする中空体であり、
天板部には、複数の開口部が設けられ、
側壁部は、保持部の前部又は後部を形成するものであり、上記開口部に連続して開口する延設開口部が設けられ、
側壁部において延設開口部の左右を画する、左右の縁の少なくとも何れか一方には、当該左右の縁の他方に向かって伸びるフラップが設けられ、延設開口部は、当該フラップにて閉ざされたものであり、
開口部の夫々は、各物品の一端を収容し且つ物品の当該端部の断面よりも面積が小さく形成されており、物品一端の一部分が、延設開口部から外部へはみ出すものであり、当該はみ出し部分を上記フラップが押さえていることを特徴とする物品付台。
【請求項２】
開口部の左右の最大幅は、延設開口部の左右の幅よりも大きいものであることを特徴とする請求項１記載の物品付台。
【請求項３】
保持部は、上記の天板部と、前側壁部と後側壁部の２つの上記側壁部と、開口する左右端部とを備え、左右方向を長手とする直方体であり、
天板部の開口部の夫々は、平面視において天板部が呈する長方形の長辺に沿って配列されたものであり、
天板部の左右両端には、保持部内部に伸びる端部フラップが延設され、
端部フラップの先端は、保持部内にて、底部に当接するものであり、
天板部の開口部のうち、少なくとも上記保持部端部に隣接する開口部について、当該開口部を画する天板部の縁には、天板フラップが設けられ、天板フラップは、保持部内部に伸び、保持部内部にて物品に沿うものであり、
更に、天板フラップは、保持部内部にて端部フラップと当接することによって、端部フラップの先端が底部から離れて天板部側に寄るのを防止していることを特徴とする請求項１又は２記載の物品付台。
【請求項４】
１枚の紙片から構成され、
当該紙片は、平面視矩形の基体片と、基体片の前後の少なくとも一端に第１折り目を以って延設された第１側壁部片と、第１側壁部片の基体片と反対側の端部から第２折り目を以って延設された天板部片と、天板部片の第１側壁部片と反対側の端部から第３折り目を以って延設された第２側壁部片と、第２側壁部片の天板部片と反対側の端部から第４折り目を以って延設された糊代片とを備え、
天板部片には、その表裏に貫通し且つ第２側壁部片に接する開口部が複数設けられ、
第２側壁部片は、間隔を開けて、天板部片の第１側壁部片と反対側の端部に設けられた複数の側壁部構成片からなり、側壁部構成片の夫々は、天板部片の隣り合う開口部の間を前方又は後方へ延長するものであり、且つ、隣り合う側壁部構成片の間の間隔が、上記開口部を前方又は後方に延長するものであり、側壁部構成片の夫々には、隣り合う側壁部構成片を望む部位に、当該隣り合う側壁部構成片へ向けて伸びるフラップ片が延設されたものであり、
第１折り目、第２折り目、第３折り目の夫々を谷折りにし、更に第４折り目を山折り又は谷折りにし、糊代片を基体片に糊付けすることによって、複数の開口部を備えた天板部片を天板部とし、第１側壁部片及び第２側壁部片を前後の側壁部とし、基体片を基体として、当該基体から隆起する保持部を形成することができ、上記の隣り合う側壁部構成片間の間隔を、天板部に連続する延設開口部とするものであることを特徴とする台。
【手続補正２】
【補正対象書類名】明細書
【補正対象項目名】全文
【補正方法】変更
【補正の内容】
【発明の詳細な説明】
【技術分野】
【０００１】
本願発明は、物品付台及びその台に関するものである。
【背景技術】
【０００２】
【特許文献１】実開昭５３−５１８８６号公報
【特許文献２】実開昭５５−３３２９４号公報
【０００３】
紙片を基台として物品を載せるものについて、例えば、特許文献１や特許文献２に示すようなものが提案されている。
この特許文献１において、物品の一端を収容し保持する、複数の開口部（凹部３）を上面に備えた台（板材１）が示されている（特許文献１の第１ａ図〜第３ｂ図）。
【０００４】
具体的には、この特許文献１（図２）に示された開口部の夫々は、円筒状の物品（コップ形状容器）の断面形状に合わせて、平面視において円形に形成されている。
開口部へ収納した物品をぐらつかせず確実に保持するためには、開口部の内径を物品の外径に併せて形成しておく必要がある。
しかし、このように開口部内径と物品外径とをほぼ一致したものとすると、或いは製造時の誤差で開口部内径が物品外径よりも小さいものとなっていた場合、物品の挿入が円滑に行えず、台の形を崩したり、台を破損したりする危惧がある。
一方、円滑に物品を挿入するために、物品の外径よりも台の開口部の内径を大きいものとして余裕を持たせれば、物品の端部を無理なく挿入できるが、収容後の物品の安定が悪く、ぐらついたりする。
勿論、複数の物品を密に集合させるものとすれば、このような安定性の問題も払拭できるかもしれない。
しかし、開封した後は、物品がばらけてしまう危惧があり、例えば店頭で販売するものであれば、個々の物品を台から取り出し陳列棚に移すなどしなければならず、そのまま開封した台に入れて物品を放置することはできない。
【０００５】
一方、特許文献２において、台紙（段ボールの矩形の紙片）の第２面４と第３面５とにて構成される隆起部に、平面視半円形の開口部（切欠部）を設けたものが示されている（図２）。この特許文献２の図２の台を見る限りにおいて、物品を収容した際、物品の半分を開口部内に収容し、物品の残りの半分を断面視円形を開口部（切欠部）から外部へはみ出せて収容することができそうであり、物品の挿入が円滑に行えるように考えられる。
しかし、物品の開口部からはみ出した部位は、何の規制も受けないため、極めて不安定である。従って、この特許文献２に示されたものにあっても、シュリンクされなければ、物品が台からばらけてしまう危惧がある。
また、従来この種の台は、ＰＰやＰＥＴなどのプラスチックを主成分とするものが一般的であるが、廃棄時の環境対策を重視する観点から、このような素材を採用したものは好ましくない。
【発明の開示】
【発明が解決しようとする課題】
【０００６】
本願発明は、物品を載せる台を紙製とし、円滑に、物品を載せることができ、更に、載せた後、物品を安定状態に保持することができる台を提供して、上記の課題を解決する。
【課題を解決するための手段】
【０００７】
本願第１発明は、複数の物品１…１と、当該複数の物品１…１を載せる紙製の台２とを備えた物品付台において、次の構成を採るものを提供する。
即ち、台２は、基体２１と、基体から隆起し左右に伸びる１つ又は複数の保持部２２とを備えるものである。保持部２２は、天板部２３と、天板部２３に連設された側壁部２４とを備えた、基体２１上面を底部とする中空体である。天板部２３は、複数の開口部４…４が設けられている。側壁部２４は、保持部２２の前部又は後部を形成するものであり、上記開口部４に連続して開口する延設開口部５が設けられている。側壁部２４において延設開口部５の左右を画する、左右の縁の少なくとも何れか一方には、当該左右の縁の他方に向かって伸びるフラップ６が設けられ、延設開口部５は、当該フラップ６にて閉ざされたものである。そして、開口部４の夫々は、各物品１の一端を収容し且つ物品１の当該端部の断面よりも面積が小さく形成されており、物品１一端の一部分が、延設開口部５から外部へはみ出すものであり、当該はみ出し部分を上記フラップ６が押さえている。
尚、紙製の台には、複合紙材製の台を含む。
【０００８】
本願第２の発明では、上記の本願第１の発明にあって、開口部４の左右の最大幅が、延設開口部５の左右の幅よりも大きいことを特徴とする物品付台を提供する。
【０００９】
本願第３の発明では、上記本願第１又は第２の発明にあって、次の構成を採る物品付台を提供する。
即ち、保持部２２は、上記の天板部２３と、前側壁部２４ａと後側壁部２４ｂの２つの上記側壁部２４，２４と、開口する左右端部とを備え、左右方向を長手とする直方体であり、天板部２３の開口部４…４の夫々は、平面視において天板部２３が呈する長方形の長辺に沿って配列されたものである。天板部２３の左右両端には、保持部２２内部に伸びる端部フラップ７，７が延設され、端部フラップ７の先端は、保持部２２内にて、底部に当接する。天板部２３の開口部４…４のうち、少なくとも上記保持部２２端部に隣接する開口部４，４について、当該開口部４を画する天板部の縁には、天板フラップ８が設けられ、天板フラップ８は、保持部２２内部に伸び、保持部２２内部にて物品１に沿う。更に、天板フラップ８は、保持部２２内部にて端部フラップ７と当接することによって、端部フラップ７の先端が底部から離れて天板部２３側に寄るのを防止している。
【００１０】
本願第４の発明では、下記の構成を採る台を提供する。
即ち、この台は、１枚の紙片２００から構成される。当該紙片２００は、平面視矩形の基体片２１０と、基体片２１０の前後の少なくとも一端に第１折り目を以って延設された第１側壁部片２４１と、第１側壁部片２４１の基体片２１０と反対側の端部から第２折り目を以って延設された天板部片２３０と、天板部片２３０の第１側壁部片２４１と反対側の端部から第３折り目を以って延設された第２側壁部片２４２と、第２側壁部片２４２の天板部片２３０と反対側の端部から第４折り目を以って延設された糊代片２５０とを備える。天板部片２３０には、その表裏に貫通し且つ第２側壁部片２４２に接する開口部４…４が複数設けられている。第２側壁部片２４２は、間隔を開けて、天板部片２３０の第１側壁部片２４１と反対側の端部に設けられた複数の側壁部構成片２４３…２４３からなり、側壁部構成片２４３…２４３の夫々は、天板部片２３０の隣り合う開口部４…４の間を前方又は後方へ延長するものであり、且つ、隣り合う側壁部構成片２４３，２４３の間の間隔が、上記開口部４を前方又は後方に延長する。側壁部構成片２４３…２４３の夫々には、隣り合う側壁部構成片２４３を望む部位に、当該隣り合う側壁部構成片２４３へ向けて伸びるフラップ片６０が延設されている。そして、第１折り目、第２折り目、第３折り目の夫々を谷折りにし、更に第４折り目を山折り又は谷折りにし、糊代片２５０を基体片２１０に糊付けすることによって、複数の開口部４…４を備えた天板部片２３０を天板部とし、第１側壁部片２４１及び第２側壁部片２４２を前後の側壁部２４，２４とし、基体片２１０を基体２１として、当該基体２１から隆起する保持部２２を形成することができ、上記の隣り合う側壁部構成片２４３…２４３間の間隔を、天板部２３に連続する延設開口部５とする。
【発明の効果】
【００１１】
本願第１〜４の発明の実施にて、物品を載せる紙製の台であって、物品の台への載置を円滑に行え、更に、台に対して物品を安定した状態に保持できるものを提供し得た。
これによって、例えば、店頭に陳列する際、物品を台に載せたまま、陳列することができ、台から物品を取り出して陳列棚などに移す必要がない。
また、台を紙製とすることによって、環境に対し優しいものとした。
【００１２】
特に、本願第２の発明にあっては、開口部の左右方向の最大幅を、延設開口部の左右方向の幅よりも大きいものとすることによって、開口部の内径と同径の物品を収納した際、延設開口部から脱落する危惧がない。
【００１３】
更に、本願第３の発明にあっては、端部フラップを備え、当該端部フラップが保持部内にて、天部フラップの当接により、保持部の天板部と底部との間にて突っ張った状態を維持するものであるため、保持部において型崩れが生じ難い。
【００１４】
本願第４の発明では、上記本願第１の発明に係る台として、より具体的な手段を提供した。
【発明を実施するための最良の形態】
【００１５】
以下、図面を参照しつつ、本願発明の好ましい実施の形態について、説明する。図１〜図７へ本願発明の一実施の形態を示す。
図１は、本願発明に係る物品付台の全体斜視図である。図２は、図１の物品付台の台２を構成する紙片の展開図である。図３及び図４は、図２の紙片の組み立て過程を示す展開図である。図５（Ａ）〜（Ｃ）は、図２の紙片の組み立て過程を示す要部拡大斜視図である。図６は、図２へ示す紙片について、台として組み立てが完了した状態を示す斜視図である。図７は、図６に示す台に、物品１を収容する過程を示す斜視図である。
各図中、Ｆは前方を、Ｂは後方を、Ｌは左方を、Ｒは右方を、Ｕは上方を、Ｓは下方を、夫々示している。
【００１６】
図１へ示すように、この物品付台は、複数の物品１…１と、当該複数の物品１…１を載せる紙製の台２とを備える。
この実施の形態において、物品１…１として、洗顔フォームを収容したチューブを例に採って説明する。このチューブの口には、円筒状のキャップが嵌められている。この実施の形態において、このキャップが物品１の一端を構成しており、当該キャップ部分が、上記台２に保持される。
以下、上記台２について、更に詳しく説明する。
【００１７】
図６へ示す通り、台２は、基体２１と、基体２１上面より上方へ隆起し且つ左右に伸びる２つの保持部２２，２２とを備える。
基体２１は、前辺と、後辺と、左辺と、右辺とを備えた平面視矩形状の部材である。
保持部２２の夫々は、天板部２３と、天板部２３に連設された側壁部２４，２４とを備えた、基体２１上面を底部とする中空体である。
具体的には、保持部２２の夫々は、上記の天板部２３と、前側壁部２４ａと後側壁部２４ｂの２つの上記側壁部２４，２４と、開口する左右端部とを備え、左右方向を長手とする直方体である。
【００１８】
図６へ示すように、保持部２２，２２同士については、基体２１上にて、一方の保持部２２に対して、他方の保持部２２が、間隔を開けて、平行に配列されている。以下、必要に応じて、前方Ｆ側に位置する保持部２２を前保持部２２ａと、後方Ｂ側に位置する保持部２２を後保持部２２ｂと呼ぶ。
前保持部２２ａの前側壁部２４ａの下端は、平面視矩形を呈する基体２１の前辺と一致し（基体２１の前辺を前保持部２２ａ正面の下端辺とし）、後保持部２２ｂの後側壁部２４ｂの下端は、基体２１の後辺と一致する（基体２１の後辺を後保持部２２ｂ背面の下端辺とする）。両保持部２２ａ，２２ｂの左右の幅は、基体２１の左右の幅（前辺及び後辺の長さ）と一致する。即ち、両保持部２２ａ，２２ｂの左右両端の下端辺は、基体２１の左辺及び右辺の一部である。
【００１９】
保持部２２，２２夫々の天板部２３には、複数の開口部４…４が設けられており、この複数の開口部４…４は、平面視において天板部２３が呈する長方形の長辺に沿って（左右の方向へ）配列されている。
また、開口部４…４の夫々は、平面視において、弦を備えた円弧（一部が欠けた円）を呈する。この弦は、平面視長方形の天板部２３の長辺の一部をなしている（開口部４が呈する円は、天板部２３の長辺に掛かり、欠けたものとなっている）。この円弧の中心角は、１８０度より大きく（鈍角であり）、これにより、開口部４…４の直径（左右の最大幅ｗ１）は、上記弦の長さより大きい。
この実施の形態において、前保持部２２ａの開口部４が呈する弦は、前保持部２２ａの平面視矩形状の天板部２３の後辺の一部を構成する。また、後保持部２２ｂが呈する弦は、後保持部２２ｂの平面視矩形状の天板部２３の前辺の一部を構成する。
【００２０】
前保持部２２ａの後側壁部２４ｂと、後保持部２２ｂの前側壁部２４ａには、天板部２３の上記開口部４に連続して開口する延設開口部５が設けられている。即ち、延設開口部５は、開口部４に繋がっている。
延設開口部５は、側壁部２４の上端から下端にかけて設けられており、上下方向の各位置において、延設開口部５の左右の幅ｗ２は、一定である。この延設開口部５の左右の幅ｗ２は、上記開口部５が呈する弦の長さと等しい。
このため、図５（Ｃ）へ示すように、開口部４の左右の最大幅ｗ１は、延設開口部５の左右の幅ｗ２よりも大きい（言い換えると、延設開口部５の左右の幅ｗ２は、開口部４の左右の最大幅ｗ１より小さい）。
開口部４は、物品１の一端を収容するものであり、開口部４の内径（最大径）は、物品１の対応する箇所（この実施の形態においてチューブのキャップ）の外径と等しい。また、開口部４の夫々は、各物品１の一端を収容し且つ物品１の当該端部の断面よりも面積が小さく形成されている。従って、物品１を開口部１内へ収容することによって、物品１の端部（キャップ）の側部の一部が、延設開口部５から保持部２２の外へはみ出す。しかし、上記の通り、延設開口部５の左右の幅ｗ２は、開口部４の左右の幅ｗ１より小さいため、延設開口部５から、物品１の端部全体が保持部２２の外部へ脱落することはない。
【００２１】
また、側壁部２４において延設開口部５の左右を画する左右両縁には、当該左右の縁の他方に向かって伸びるフラップ６が設けられている。延設開口部５は、当該フラップ６にて閉ざされたものである。図６へ示す通り、対向する両フラップ６，６については、物品１を収容していない状態において、その先端同士が近接又は当接する。開口部４内に上記物品１を収容し、その一部（キャップ周面の一部）が延設開口部５からはみ出した際、図７へ示す通り、両フラップ６，６は、当該はみ出し部分を押さえつつ開く。即ち、両フラップ６，６は、物品１のはみ出し部分に押されて、観音開きとなるが、物品１との当接状態を維持する。このように、フラップ６，６は、紙片２００が有する弾力性により、物品１を押さえ、物品１をより安定した状態に保持することができる。
【００２２】
天板部２３の左右両端には、保持部２２内部に伸びる端部フラップ７，７が延設され、端部フラップ７の先端は、保持部２２内にて、底部に当接する。
天板部２３における当該開口部４…４を画する各縁には、天板フラップ８が設けられている。天板フラップ８は、保持部２２内部に伸び、保持部２２内部にて物品１に沿う。
上記保持部２２の左右端部に隣接する開口部４，４の天板フラップ８，８は、当接部８１を備え、当該当接部８１にて、保持部２２内部で、端部フラップ７と当接し、端部フラップ７の先端が底部から離れて天板部２３側に寄るのを防止している。
【００２３】
次に、上記の台２について、具体的に説明する。
図２へ示す通り、この実施の形態において、台２は、１枚の紙片２００から構成される。紙片２００には、ボール紙や他の厚紙を採用することができる。
当該紙片２００は、図２へ示すように、平面視矩形の基体片２１０と、基体片２１０の前後の両端に第１折り目ｘ１を以って延設された第１側壁部片２４１と、第１側壁部片２４１の基体片２１０と反対側の端部から第２折り目ｘ２を以って延設された天板部片２３０と、天板部片２３０の第１側壁部片２４１と反対側の端部から第３折り目ｘ３を以って延設された第２側壁部片２４２と、第２側壁部片２４２の天板部片２３０と反対側の端部から第４折り目ｘ４を以って延設された糊代片２５０とを備える。上記の第１側壁部片２４１の前後の幅と第２側壁部片２４２の前後の幅とは、等しい。
【００２４】
天板部片２３０には、その表裏に貫通し且つ第２側壁部片２４２に接する開口部４…４が複数設けられている。
第２側壁部片２４２は、間隔を開けて、天板部片２３０の第１側壁部片２４１と反対側の端部に設けられた複数の側壁部構成片２４３…２４３にて構成されている。
側壁部構成片２４３…２４３の夫々は、天板部片２３０の隣り合う開口部４…４の間を前方又は後方へ延長するものであり、且つ、隣り合う側壁部構成片２４３…２４３の間の間隔が、上記開口部４を前方又は後方に延長する。
【００２５】
側壁部構成片２４３…２４３の夫々には、隣り合う側壁部構成片２４３を望む部位に、当該隣り合う側壁部構成片２４３へ向けて伸びるフラップ片６０が延設されている。そして、第１折り目、第２折り目、第３折り目の夫々を谷折りにし、更に第４折り目を山折り又は谷折りにし、糊代片２５０を基体片２１０に糊付けすることによって、複数の開口部４…４を備えた天板部片２３０を天板部とし、第１側壁部片２４１及び第２側壁部片２４２を前後の側壁部２４，２４とし、基体片２１０を基体２１として、当該基体２１から隆起する保持部２２を形成することができ、上記の隣り合う側壁部構成片２４３…２４３間の間隔を、天板部２３に連続する延設開口部５とすることができる。
【００２６】
上記の開口部４について詳述すると、天板部片２３０には、切り込み４０が複数設けられており、開口部４を画している。切り込み４０にて囲まれた部分は、天板フラップ片８０を構成する。
上記の切り込み４０は、円弧状の区間と、円弧の両端を繋ぐ弦区間とを備える。
正確には、切り込み４０の円弧状の区間は、第２折り目ｘ２に最も近接する部位に設けられた第５折り目ｘ５を挟んで、第５折り目ｘ５の左右に形成された、２つの円弧区間４０ａ，４０ａにて構成される。当該第５折り目ｘ５にて、天板フラップ片８０は、天板部片２３０と繋がっている。２つの円弧区間４０ａ，４０ａは、同心に形成され、第５折り目ｘ５と共に、上記円弧状の区間を構成している。
【００２７】
また、上記の弦区間は、切り込み４０の第２折り目ｘ２と反対側にあって、上記の第３折り目ｘ３，ｘ３間に位置する。弦区間は、上記の通り、円弧の弦の部分を構成するのであるが、この実施の形態において、上記の弦区間は、直線区間４０ｂ，４０ｂ、迂回区間４０ｃとにて構成されている。迂回区間４０ｃは、第４折り目ｘ４側へ寄った区間であり、平面視Ｕ字状に形成されている。
このため、第２側壁部片２４２，２４２のフラップ片６０，６０は、上記天板フラップ片８０の迂回、即ち、天板フラップ片８０の張り出しに対応して、第４折り目ｘ４側へ後退する部分を備える。
上記の迂回区間４０ｃは、天板フラップ片８０の弦から突出する糊代用舌片８２を象るものであり、上記両直線区間４０ｂ，４０ｂ間に、第６折り目ｘ６を備える。
【００２８】
天板部片２３０において、このような切り込み４０にて囲まれたフラップ片８０…８０のうち、左右両端に位置する切り込み４０には、折り目ｙが設けられている。
【００２９】
例えば、列なす複数（この実施の形態において３個）の天板フラップ片８０のうち、右端に位置する天板フラップ片８０の折り目ｙは、当該天板フラップ片８０の直線区間４０ｂ，４０ｂのうち右側の直線区間４０ｂの左端と、当該天板フラップ片８０の第５折り目ｘ５の右側に位置する円弧区間４０ａの中点と左端との間とを、結ぶ線である。この天板フラップ片８０において、折り目ｙにより右側の部位が、当接部片８１０である。
一方、天板フラップ片８０のうち、左端に位置する天板フラップ片８０の折り目ｙは、当該天板フラップ片８０の直線区間４０ｂ，４０ｂのうち左側の直線区間４０ｂの右端と、当該天板フラップ片８０の第５折り目ｘ５の左側に位置する円弧区間４０ａの中点と右端との間とを、結ぶ線である。この天板フラップ片８０において、折り目ｙにより左側の部位が、当接部片８１０である。
各折り目ｙは、ミシン目その他の切れ込みとして形成され、これにて、当接部片８１０は、当接部８１として、谷折りにし易いものとなっている。
【００３０】
上記天板部片２３０の左右の両端には、第７折り目ｘ７を介して、端部フラップ片７０，７０が延設されている。この端部フラップ片７０の左右の幅（基端から先端の幅）は、第１及び第２側壁部片２４１，２４２の前後の幅と同じか若干長く形成されている。
上記の基体片２１０は、第８折り目ｘ８を介して、その左右に、補強片２１１，２１１が延設されている。
【００３１】
次に、この紙片２００から台２を形成する手順について説明する。
図３へ示す通り、先ず、上記の端部フラップ片７０，７０は、第７折り目ｘ７，ｘ７にて谷折りにされ、天板部片２３０に重ねられる。また、上記の補強片２１１，２１１の上面に接着剤が塗布され、この図３に示す通り、補強片２１１，２１１は、第８折り目ｘ８にて谷折りにされ、基体片２１０に重ねられ、当該基体片２１０に糊付けされる。
【００３２】
そして、上記糊付け面と反対側の面について、糊代片２５０，２５０と糊代用舌片８２…８２とに（図３において×印で示す位置に）、更に接着剤が塗布される。
接着剤の塗布後、第２折り目ｘ２にて、天板部片２３０が、谷折りにされ、第１側壁部片２４１に重ねられる。このとき、接着剤にて、基体片２１０及び補強片２１１，２１１の、図３にて三角印で示す第１折り目ｘ１寄りの位置に、糊代用舌片８２…８２が糊付さされ、同じく、図３にて三角印で示す、基体片２１０及び補強片２１１，２１１の前後について中央位置に、糊代片２５０，２５０が糊付けされる。
図４は、上記の糊付け後の台２の状態を示している。台２としては、この図４へ示す状態で完成する。
【００３３】
次に、使用時の、上記の図４に示す台１の組み立ての手順について、説明する。
図５（Ａ）は、図４の要部を斜視図として示すものであり、この図５（Ａ）へ示す状態から第３折り目ｘ３にて、天板部片２３０と第２側壁部片２４２とを山折りにし、且つ第２折り目ｘ２にて第１側壁部片２４１から天板部片２３０を開いて起し、図５（Ｂ）へ示すように、基体片２１０（及び補強片２１１）から第２側壁部片２４２を折り起す。
図５（Ｃ）へ示す通り、上記にて、天板部片２３０に対し第２側壁部片２４２を、第１側壁部片２４１に対し天板部片２３０を、夫々ほぼ直角となるように起す。このとき、上記にて基体片２１０及び補強片２１１へ糊付けされた糊代用舌片８２…８２は、基体片２１０及び補強片２１１に残り、その結果、天板フラップ片８０は、天板フラップ８として保持部２２内部に入り込み、天板部片２３０に開口部４が形成される（開口する）。また、このとき、上記左右両端に位置する天板フラップ片８０，８０の当接部片８１０，８１０即ち、当接部８１，８１が、その左右の端部フラップ片７０，７０を押圧して起す。各接部片８１０は、端部フラップ片７０の押圧にて、天板フラップ片８０の他の部位に対し折り目ｙにて谷折りになり、より広い範囲で端部フラップ片７０と当接し、端部フラップ片７０（端部フラップ７）を押圧する。
このようにして、基体片２１０が基体２１となり、また、第１側壁部片２４１と第２側壁部片２４２とが夫々前側壁部２４ａと後側壁部２４ｂの何れかとなり、天板部片２３０が天板部２３となって、保持部２２が形成され、図６へ示す通り、台２として使用可能な状態となる。
【００３４】
図８〜図１０へ他の実施の形態を示す。図８はこの実施の形態の台２の展開平面図であり、図９は当該台２の組みたて後の斜視図であり、図９は当該台２へ物品１を収容する過程を示す斜視図である。
この図８〜図１０に示す実施の形態について、図１〜図７に示す実施の形態との相違点を中心に説明する。従って、この図８〜図１０へ示す実施の形態について、特に言及しない事項については、図１〜図７へ示す実施の形態と同様である。
図８へ示す通り、この台２を構成する紙片２００において、天板フラップ片８０を画する切れ込み４０の弦区間は、図１〜図７へ示す実施の形態と異なり、迂回区間４０ｃを備えない。即ち弦区間は、１本の直線区間として形成されている。このため、天板フラップ８…８（天板フラップ片８０…８０）の夫々は、上記の糊代用舌片８２…８２を備えない。従って、この実施の形態において、糊付けされるのは、補強片２１１，２１１と、糊代片２５０，２５０のみである。
【００３５】
このため、紙片２００を糊付けして、台２として組み立てた際、図９へ示す通り、天板フラップ片８０…８０は、そのまま天板部２３に残る。従って、図１〜図７へ示す実施の形態と異なり、台２の組み立て時に、上記天板フラップ８の端部が、端部フラップ片７０を押圧せず、組み立てが完了し保持部２２，２２が形成された時点において、保持部２２，２２の左右両端は、端部フラップ７が起されていない。
しかし、物品１を収容する際に、物品１に押圧されて、天板フラップ８が開口部４から保持部２２の内部へ押し込まれる。このとき、天板フラップ８の左右何れかの端部が、端部フラップ片７０を押圧し、図１０へ示すように、端部フラップ７として起立させることができる。
【００３６】
また、この図８〜図１０に示す実施の形態では、図１〜図７へ示す実施の形態と異なり、天板フラップ片８０は、上記の折り目ｙを備えない。但し、図１〜図７へ示す実施の形態と同様、折り目ｙを備えるものとして実施することができる（図示しない）。
この図８〜図１０について、上述の各相違点以外の構成については、図１〜図７に示す実施の形態と同様である。
【００３７】
また、上記の各実施の形態において、台２は、保持部２２を２つ備えるものとしたが、この他、台２が保持部２２を３つ或いは４つ備えるものとしても実施できる。図１１（Ａ）は、保持部２２を３つ備えた台２の略側面図であり、図１１（Ｂ）は、保持部２２を４つ備えた台２の略側面図である。
図１〜図１０へ示す実施の形態との相違点を中心に、この図１１に示す実施の形態について説明する。
図１１（Ａ）に示す台２は、図１２へ示す紙片２００を用いて形成することができる。この台紙２００は、図２へ示す紙片２００の後方Ｂ側に位置する第２側壁部片２４２と当該第２側壁部片２４２に隣接する糊代片２５０との間に、接続片２６０と、上記とは別に、第２側壁部片２４２と、天板部片２３０と、第１側壁部片２４１とを設けたものである。
詳しくは、後方Ｂ側に位置する第２側壁部片２４２の後方Ｂ側へ第９折り目ｘ９を介して接続片２６０が延設され、当該接続片２６０の後方Ｂ側に、第１０折り目ｘ１０を介して更に第２側壁部片２４２が延設され、当該別の第２側壁部片２４２の後方Ｂ側に更に天板部片２３０が延設され、当該天板部片２３０の後方Ｂ側に、更に第１側壁部片２４１が延設され、当該第１側壁部片２４１の後方Ｂ側に第１１折り目ｘ１１を介して上記の糊代片２５０が延設されているのである。
【００３８】
この図１２へ示す紙片２００から台２を形成する手順について、上記図２へ示す実施の形態との相違点を中心に説明する。
図１２へ示す展開状態の紙片２００の、上面に接着剤を塗布された補強片２１１，２１１と、全ての端部フラップ片７０…７０とを谷折りにして、基体片２１０及び天板部片２３０に重ねた後、前方Ｆ側糊代片２５０の上面，後方Ｂ側糊代片２５０の下面、及び、上記接続片２６０の上面に接着剤を塗布する。そして、基体２１０の直前後の第１側壁部片２１４と天板部片２３０と第２側壁部片２４２とを折り起し、更に、この基体片２１０の後方側において、基体片２１０の直後方Ｂの第２側壁部片２４２より更に後方Ｂ側に設けられた、第２側壁部片２４２と第１側壁部片２１４と天板部片２３０とを折り起す。このとき、図１２に示す状態を基準に、第９折り目ｘ９を山折り目とし、同じく第１０折り目ｘ１０を山折り目とし、第１１折り目ｘ１１を谷折り目とする。
このような紙片２００の組み立てによって、図１１（Ａ）へ示す通り、折り起された上記各第１側壁部片２４１…２４１及び各第２側壁部片２４２…２４２が、夫々、前後の側壁部２４ａ，２４ｂとなり、天板部片２３０が天板部２３となり、基体片２１０が基体２１となって、保持部２２を３つ備えた台２が完成する。
【００３９】
また、図１１（Ｂ）へ示す実施の形態では、図１３へ示す通り、上記図１１（Ａ）を形成する図１２の紙片２００において、基体片２１０の前方Ｆ側の第２側壁部片２４２と当該第２側壁部片２４２に隣接する糊代片２５０との間にも、基体片２１０の後方Ｂ側と同様の、接続片２６０と、上記とは別に、第２側壁部片２４２と、天板部片２３０と、第１側壁部片２４１とを設けたものである。この場合も、台２形成の手順は、基本的に、上記図１１（Ａ）の実施の形態と同様である。
図１１（Ｂ）へ示す通り、組み立てにより、折り起された上記各第１側壁部片２４１…２４１及び各第２側壁部片２４２…２４２が、夫々、前後の側壁部２４ａ，２４ｂとなり、天板部片２３０が天板部２３となり、基体片２１０が基体２１となって、保持部２２を４つ備えた台２が完成する。
上記の図１１〜図１３へ示す実施の形態についても、特に言及しない事項については、図１〜図１０に示す実施の形態と同様である。
【００４０】
図１４〜図１６へ、更に他の実施の形態を示す。
図８〜図１０へ示す実施の形態では、図１〜図７に示す実施の形態の紙片２００（天板フラップ片８０）が持つ糊代用舌片８２…８２を備えず、台２を組み立てた際直ちに、天板フラップ片８０が、開口部４…４から離脱するものではなかった。
この図１４〜図１６に示す実施の形態では、このように、天板フラップ片８０に糊代用舌片８２…８２を設けないタイプのものにおいて、図１〜図７に示す実施の形態と同様、台２の組み立て時に、天板フラップ片８０を開口部４…４から離脱させることができる。
【００４１】
以下、図１４〜図１６へ示す実施の形態について、図８〜図１０へ示す実施の形態との相違点を中心に説明する。
図１４は、この台２を形成する紙片２００の展開平面図であり、図１５及び図１６に、この紙片２００を用いて台２を形成する手順を示す。
図１４に示す通り、この紙片２００は、図８へ示す紙片２００の糊代片２５０，２５０の前後に、第１２折り目ｘ１２を介して、副糊代片２７０を延設したものである。また、図８に示す紙片２００では、補強片２１１，２１１の左右の幅（両補強片２１１，２１１の左右の幅の合計幅）は、基体片２１０の左右の幅よりも小さく、第８折り目ｘ８，ｘ８にて補強片２１１，２１１を基体片２１０に折り重ねても、基体片２１０の上面全体を覆うものではなかった。一方のこの図１４〜図１６へ示す実施の形態では、両補強片２１１，２１１の左右の幅の合計は、基体片２１０の左右の幅とほぼ等しく、図１５へ示す通り、基体片２１０へ折り畳んだ際は、ほぼ基体片２１０の上面全体を覆う。このように形成することによって、折り畳んだ後の補強片２１１の先端と、基体片２１０との間に段差を生じさせず、それ以降の折り畳みや糊付け等の工程が行い易い。
【００４２】
この図１４の紙片２００から、台２を形成の手順について説明する。
補強片２１１，２１１の上面と、図１４へ×印で示す位置即ち天板フラップ片８０…８０とへ、接着剤を塗布する。そして、図１５へ示す通り、補強片２１１，２１１を基体片２１０へ、また、各端部フラップ片７０…７０を天板部片２３０，２３０へ、更に、糊代片２５０を第２側壁部片２４２へ、夫々谷折りにすることによって、折り畳む。
上記において、糊代片２５０，２５０は、第４折り目ｘ４，ｘ４にて谷折りにされ、天板部片２３０，２３０へ重ねられ、このとき、天板フラップ片８０…８０は、塗布された接着剤により、副糊代片２７０（図１４において三角印で示す位置）へ糊付けされる。
【００４３】
上記の折り畳みの後、図１５へ示す通り、折り畳まれた補強片２１１，２１１の上（図１５の×印で示す位置）に、接着剤を塗布する。この接着剤の塗布位置は、前後方向Ｆ，Ｂについて、補強片２１１，２１１の、中央と前端との中間位置、中央と後端との中間位置であり、左右のほぼ全域に渡り、夫々直線的に塗布される。この補強片２１１，２１１への接着剤塗布後、第２折り目ｘ２，ｘ２にて、天板部片２３０，２３０を谷折りにして、図１６へ示す通り、補強片２１１，２１１へ重ね合わせる。このとき、図１５に三角印で示す位置、即ち、糊代片２５０が上記の接着剤によって、補強片２１１，２１１へ糊付けされる。
【００４４】
以上にて、完成した台２は、図１〜図７へ示す実施の形態と同様の手順で、組み立てられ、台２として使用可能な状態となる。図示は省略するが、この組み立てに際して、上記図１４〜図１６へ示す実施の形態では、糊代片２５０，２５０に対して、第２側壁部片２４２を（第４折り目ｘ４，ｘ４を中心として）直角に起すと共に、第１側壁部片２４１，２４１を、基体片２１０（及び補強片２１１，２１１）に対して、第１折り目ｘ１，ｘ１を中心に直角に曲げ、同時に、天板部片２３０を第１側壁部片２４１，２４１から（第２折り目ｘ２，ｘ２を中心として）直角に起し、更に同時に、天板部片２３０，２３０を、第２側壁部２４２に対して、第３折り目ｘ３，ｘ３を中心として、直角に曲げる。図示はしないが、これにて、前後の側壁部２４ａ，２４ｂと天板部２３を供えた保持部２２，２２が形成される。
【００４５】
この実施の形態では、上記の組み立てにより、保持部２２，２２内部において、補強片２１１，２１１の上に糊付けされた糊代片２５０に対し、第１２折り目ｘ１２，ｘ１２を中心として、副糊代片２７０，２７０が起される。この副糊代片２７０，２７０の起立によって、副糊代片２７０，２７０に糊付けされている天板フラップ片８０…８０は、天板部片２３０から離脱させられ、天板部２３において、開口部４…４が開口するのである。
このような動作によって、糊代用下片８２を備えない図１４〜図１６においても、図１〜図７に示す実施の形態と同様、組み立て時に、天板フラップ片８０から開口部４を開放することができ、また、このとき天板フラップ片８０に押圧されて、端部フラップ片７０，７０が、保持部２２内にて起立する。
上記図１４〜図１６へ示す実施の形態についても、特に言及しない事項については、図１〜図１０へ示す実施の形態と同様である。
【００４６】
図１７〜図２１へ、更に他の実施の形態を示す。この実施の形態の紙片２００は、図１４〜図１６へ示す実施の形態において、糊代片２５０，２５０の前後に延設していた副糊代片２７０，２７０を除き、その代わりに、図１７へ示す通り、補強片２１１，２１１の前後に、副糊代片２８０…２８０を設けたものである。副糊代片２８０…２８０は、補強片２１１，２１１の前端又は後端において、補強片２１１，２１１の左右端寄りに設けられている。
また、この実施の形態では、図１７へ示す通り、天板部片２３０から、天板フラップ片８０を画する切り込み４０の弦区間は、第３折り目ｘ３と一致せず、第５折り目ｘ５側に後退している。即ち、当該弦区間とフラップ片６０，６０との間には、間隔が開けられている。このように形成することによって、組み立ての際に、フラップ片６０，６０が、天板フラップ片８０の弦区間に干渉せず、円滑な組み立てが行える。
【００４７】
具体的には、天板部片２３０において、左右両端に位置する天板フラップ片８０，８０の切り込み４０の弦区間は、全体が直線区間である。そして、天板部片２３０の右端に位置する天板フラップ片８０の切り込み４０において、弦区間は、右側よりも左側が、第５折り目ｘ５側へ後退するように、斜めに配置されている。一方、天板部片２３０の左端に位置する天板フラップ片８０の切り込み４０において、弦区間は、左側よりも右側が、第５折り目ｘ５側へ後退するように、斜めに配置されている。また、天板フラップ片８０の中央に位置する天板フラップ片８０の切り込み４０において弦区間は、中央とその左右の、連続する３つの直線区間によって構成されている。この切り込み４０において、左側の直線区間は、左側よりも右側が、第５折り目ｘ５側へ後退するよう斜めに配置され、逆に右側の直線区間は、右側よりも左側が、第５折り目ｘ５側へ後退するよう斜めに配置され、中央の直線区間は、左側の直線区間の右端と右側の直線区間の左端とを結ぶものであり且つ第５折り目ｘ５に対して平行左右へに伸びている。
弦区間の形態については、上記に限定するものではなく、第３折り目ｘ３と干渉しないものであれば、他の形状、例えば曲線を備えた区間として形成することもできる。
【００４８】
以下図１７に示す紙片２００から、台２を形成する手順について説明する。
図１７へ示す状態において、両補強片２１１，２１１の上面全体に接着剤を塗布する。そして、図１８へ示す通り、第８折り目ｘ８，ｘ８にて、補強片２１１，２１１を、基体片２１０へ向けて谷折りにし、基体片２１０の上面へ補強片２１１，２１１を重ねて糊付けする。このとき、副糊代片２８０…２８０は、第１側壁部片２４１，２４１の上に重ねられる（糊付けはされない）。
その後、図１９へ示す通り、第７折り目ｘ７，ｘ７にて、端部フラップ７０…７０を谷折りにして、天板部片２３０，２３０へ重ねる。また、糊代片２５０，２５０を第４折り目ｘ４にて谷折りにし、第２側壁部片２４２，２４２へ重ねる。
この端部フラップ７０…７０及び糊代片２５０，２５０の折込みは、補強片２１１，２１１より先に行っても、同時に行ってもよい。
【００４９】
図１９へ示す通り、天板フラップ片８０…８０の上、即ち、図１９において×印で示す位置に接着剤を塗布する。また、上記にて折り込まれた糊代片２５０，２５０の上にも、その全体に接着剤を塗布する（糊代片２５０について、接着剤の塗布位置、及び、その張り合わせ位置の印は省略する）。
その後、図２０へ示す通り、第２折り目ｘ２，ｘ２にて、上記の天板部片２３０，２３０を山折りにして、第１側壁部片２４１…２４１の上に重ねる。このとき、糊代片２５０，２５０が、上記補強片２１１，２１１の上に重ねられ、補強片２１１，２１１へ糊付けされる。また、同時に、上記の副糊代片２８０…２８０の上、即ち図１９において三角印で示す位置に、天板フラップ片８０…８０が糊付けされる。以上にて、図２０へ示す台２が完成する。
【００５０】
使用時の台２の組み立ては、この図１７〜図２１へ示す実施の形態においても、上述の図１４〜図１６へ示す実施の形態と同様であり省略するが、組み立てにより、保持部２２，２２内において、上記副糊代片２８０…２８０が補強片２１１，２１１より起される。この副糊代片２８０…２８０の起立によって、当該副糊代２８０…２８０に糊付けされている天板フラップ片８０…８０が、図２１へ示す通り、天板部片２３０より離脱し、開口部４…４が開口する。また、このとき、天板フラップ片８０…８０に押圧されて、端部フラップ片７０…７０も保持部２２，２２内にて起立する。
以上にて、台２が使用可能な状態となるのである。
【００５１】
図２２へ示す通り、図１７に示す台において、図１２に示す台と同様、保持部２２を３列としてもよい。
具体的には、この台紙２００は、図１７へ示す紙片２００の後方Ｂ側に位置する第２側壁部片２４２と当該第２側壁部片２４２に隣接する糊代片２５０との間に、接続片２６０と、上記とは別に、第２側壁部片２４２と、天板部片２３０と、第１側壁部片２４１とを設けたものである。
即ち、後方Ｂ側に位置する第２側壁部片２４２の後方Ｂ側へ第９折り目ｘ９を介して接続片２６０が延設され、当該接続片２６０の後方Ｂ側に、第１０折り目ｘ１０を介して更に第２側壁部片２４２が延設され、当該別の第２側壁部片２４２の後方Ｂ側に更に天板部片２３０が延設され、当該天板部片２３０の後方Ｂ側に、更に第１側壁部片２４１が延設され、当該第１側壁部片２４１の後方Ｂ側に第１１折り目ｘ１１を介して上記の糊代片２５０が延設されているのである。
この図２２へ示す紙片２００においても、補強片２１１，２１１の前後に、副糊代片２８０…２８０が設けられており、台形成時の、補強片２１１，２１１及び副糊代片２８０…２８０の糊付けや折込みは、図１８〜図２１へ示す実施の形態と同様であり、この補強片２１１，２１１及び副糊代片２８０…２８０の糊付けや折込み後の工程については、図１２へ示す台紙と同様である。
尚、図示はしないが、図１７へ示す台紙において、図１３へ示す構成を採ることにより、保持部２２を４列として実施することもできる。
【００５２】
また、この台紙２００から形成した物品付台１００は、一つの保持部２２は、４つの開口部４…４を備える。この場合、保持部２２の左右両端に位置する開口部４，４の構成については、図１７に示す紙片２００から形成した、図２１に示す台において保持部２２の左右両端に位置する開口部４，４と同様の構成を採り、当該左右両端の開口部４，４の間に位置する開口部４，４については、図２１に示す台において保持部２２の中央に位置する開口部４，４と同様の構成を採る。
この図２２に示す台について、特に言及しなかった事項については、図１２及び図１７へ示す実施の形態と同様である。
【００５３】
図２３へ示す通り、上記各実施の形態の物品付台１００を、段ボール箱といった梱包用箱３００へ収容する場合、別途、平面視十字型に交差する紙板を、間仕切り３０１として梱包用箱３００に挿入し、当該間仕切り３０１に仕切られた梱包用箱３００の内部空間へ、物品付台１００を収容するようにすればよい。このような間仕切り３０１を用いことにより、複数の物品付台１００を上下に積み重ねて梱包する場合に、荷崩れを生じさせないために必要な強度を確保することができるからである。
例えば、間仕切り３０１にて隔された１区画に、上下２段に物品付台１００を重ねて収容すれば、１つの梱包用箱３００へ、８個の物品付台１００を収容することができる。
【００５４】
上記の各実施の形態において、開口部４は、被梱包物である物品１の端部外形に対応して、平面視においてその輪郭を円形（円弧）としたが、輪郭を多角形とするものであっても実施可能である。また、開口部４を上記の通り円形とした場合であっても、多角形の輪郭を備えた物品１を収容するものとして実施することができる。即ち、上記開口部４の夫々は、各物品１の一端を収容し且つ物品１の当該端部の断面よりも面積が小さく形成されており、物品１の一端の一部分が、延設開口部５から外部へはみ出すものであれば、上記の開口部４…４の輪郭や物品１…１の輪郭は、変更することができる。
【００５５】
１つの保持部２２が備える開口部４…４は、３個や４個に限定するものではなく、２個以下、或いは５個以上であっても実施可能であり、また、１つの台２が備える保持部２２も、図示した２個や３個、４個に限定するものではなく、５個以上であっても実施可能である。
上記の各実施の形態において、台２は、物品１を載せるものを示したが、上下逆、即ち、台２は物品に載せられるものであっても実施可能である。
また、上記において、物品１…１は、洗顔フォームを収容したチューブとしたが、洗顔フォーム以外のものを収容したチューブであっても実施できる。更に、物品１…１として、このようなチューブに限定するものではなく、瓶などの他のボトル容器に実施することもできる。
また、上記の各実施の形態において、この物品付台は、物品と、台とのみにて構成されるものであった。この他、物品付台は、フィルムでシュリンクラップされたものであっても実施できる。
【図面の簡単な説明】
【００５６】
【図１】本願発明に係る物品付台の一実施の形態を示す全体斜視図である。
【図２】図１に示す物品付台の台を構成する紙片の展開平面図である。
【図３】図２に示す紙片の一部を折り込んだ状態を示す平面図である。
【図４】図２に示す紙片を更に折り込んだ状態を示す平面図である。
【図５】（Ａ）は図４に示す紙片の一部切欠拡大斜視図であり、（Ｂ）は（Ａ）へ示す紙片の折起しの途中の状態を示す一部切欠拡大斜視図であり、（Ｃ）は（Ａ）へ示す紙片の折起しの完了の状態（台を形成した状態）を示す部切欠拡大斜視図である。
【図６】図５（Ｃ）に示す紙片（台）の全体斜視図である。
【図７】図６に示す台に物品を収容する過程を示す斜視図である。
【図８】上記台の他の実施の形態に係る紙片の展開平面図である。
【図９】図８に示す紙片から形成した台２の斜視図である。
【図１０】図９に示す台２へ、物品１を収容する過程を示す斜視図である。
【図１１】（Ａ）は他の実施の形態に係る台２の略側面図であり、（Ｂ）は更に他の実施の形態に係る台２の略側面図である。
【図１２】図１１（Ａ）に示す実施の形態に係る台２を構成する紙片の展開平面図である。
【図１３】図１１（Ｂ）に示す実施の形態に係る台２を構成する紙片の展開平面図である。
【図１４】更に他の実施の形態に係る台２を形成する紙片の展開平面図である。
【図１５】図１４に示す紙片の一部を折り込んだ状態を示す平面図である。
【図１６】図１５に示す紙片の一部を更に折り込んだ状態を示す平面図である。
【図１７】また更に、他の実施の形態に係る台２を形成する紙片の展開平面図である。
【図１８】図１７に示す紙片の一部をまた更に折り込んだ状態を示す平面図である。
【図１９】図１８に示す紙片の一部を更に折り込んだ状態を示す平面図である。
【図２０】図１９に示す紙片の一部を更にまた折り込んだ状態を示す説明図である。
【図２１】図２０に示す台２の組み立て後の斜視図である。
【図２２】更に他の実施の形態の展開図である。
【図２３】本願発明に係る物品付台を梱包用箱へ収容する状態を示す説明図である。
【符号の説明】
【００５７】
１  物品
２  台
４  開口部
５  延設開口部
６  フラップ
７  端部フラップ
８  天板フラップ
２１  （台２の）基体
２２  （台２の）保持部
２３  （保持部２２の）天板部
２４  （保持部２２の）側壁部
【手続補正３】
【補正対象書類名】図面
【補正対象項目名】図９
【補正方法】変更
【補正の内容】
【図９】
2008179369.tif 000026
【手続補正４】
【補正対象書類名】図面
【補正対象項目名】図１１
【補正方法】変更
【補正の内容】
【図１１】
2008179369.tif 000027
【手続補正５】
【補正対象書類名】図面
【補正対象項目名】図１４
【補正方法】変更
【補正の内容】
【図１４】
2008179369.tif 000028
【手続補正６】
【補正対象書類名】図面
【補正対象項目名】図１７
【補正方法】変更
【補正の内容】
【図１７】
2008179369.tif 000029
【手続補正７】
【補正対象書類名】図面
【補正対象項目名】図１８
【補正方法】変更
【補正の内容】
【図１８】
2008179369.tif 000030
【手続補正８】
【補正対象書類名】図面
【補正対象項目名】図１９
【補正方法】変更
【補正の内容】
【図１９】
2008179369.tif 000031